(57)【要約】【課題】より精度良く支持部のタッキングを行うことが可能な眼内レンズ挿入器具および眼内レンズ挿入システムを提供する。【解決手段】眼内レンズ挿入器具１００は、樹脂材料によって成形された変形可能な眼内レンズを、内部の通路を通じて前端部の挿入口１８３から患者眼の眼内に挿入する。眼内レンズ挿入器具１００は、設置部１３０、押出部材、ノズル１８０、および冷却部２０１を備える。設置部１３０には眼内レンズが設置される。押出部材は棒状であり、通路内を前方に移動することで、眼内レンズを前方に押し出す。ノズル１８０は、前方に向かう程通路面積が小さくなると共に、前端部に挿入口１８３を有する。冷却部２０１は、設置部１３０に設置された眼内レンズおよび器具本体のうちの少なくとも一部を冷却する。【選択図】図１
2019118689.tif 000002
【特許請求の範囲】
【請求項１】
樹脂材料によって成形された変形可能な眼内レンズを、内部の通路を通じて前端部の挿入口から患者眼の眼内に挿入する眼内レンズ挿入器具であって、
前記眼内レンズは、
円盤形状の光学部と、
前記光学部から外側に向けて湾曲して延びると共に、先端を自由端とする１つまたは複数の支持部と、
を備え、
前記眼内レンズ挿入器具は、
前記支持部が前記光学部のレンズ面上に折り畳まれていない状態で前記眼内レンズが設置される設置部と、
前記通路の軸に沿って前記通路内を前方に移動することで、前記眼内レンズを前方に押し出す棒状の押出部材と、
前記設置部よりも前方に設けられ、前方に向かう程通路面積が小さくなると共に、前端部に前記挿入口を有し、前記支持部が前記光学部のレンズ面上に折り畳まれた状態で前記眼内レンズを前記挿入口から排出するノズルと、
前記設置部に設置された前記眼内レンズおよび器具本体のうちの少なくとも一部を冷却する冷却部と、
を備えたことを特徴とする眼内レンズ挿入器具。
【請求項２】
請求項１に記載の眼内レンズ挿入器具であって、
前記眼内レンズの前記１つまたは複数の支持部には、前記眼内レンズが前記設置部に設置された状態で、前記光学部から前記眼内レンズ挿入器具の後方に向けて湾曲して延び出す前記支持部である後方支持部が含まれており、
前記押出部材は、前記後方支持部の一部に接触しながら前方に移動することで、前記後方支持部を前記光学部のレンズ面上に折り畳むことを特徴とする眼内レンズ挿入器具。
【請求項３】
請求項２に記載の眼内レンズ挿入器具であって、
前記冷却部は、
前記設置部に設置された前記眼内レンズの少なくとも一部を冷却するレンズ冷却部を含み、
前記眼内レンズ挿入器具の前後方向において、前記レンズ冷却部の前端部が、前記設置部に設置される前記眼内レンズのうち、前記光学部の中心、または前記光学部の中心から前記後方支持部の後端部までの間に位置することを特徴とする眼内レンズ挿入器具。
【請求項４】
請求項２または３に記載の眼内レンズ挿入器具であって、
前記冷却部は、
前記押出部材を冷却する押出部材冷却部を含むことを特徴とする眼内レンズ挿入器具。
【請求項５】
請求項１から４のいずれかに記載の眼内レンズ挿入器具であって、
前記眼内レンズの樹脂材料のガラス転移温度が１８℃以下であることを特徴とする眼内レンズ挿入器具。
【請求項６】
樹脂材料によって成形された変形可能な眼内レンズを患者眼の眼内に挿入するために用いられる眼内レンズ挿入システムであって、
前記眼内レンズは、
円盤形状の光学部と、
前記光学部から外側に向けて湾曲して延びると共に、先端を自由端とする１つまたは複数の支持部と、
を備え、
前記眼内レンズ挿入システムは、
内部の通路を通じて前端部の挿入口から前記眼内レンズを患者眼の眼内に挿入する眼内レンズ挿入器具と、
冷却装置と、
を備え、
前記眼内レンズ挿入器具は、
前記支持部が前記光学部のレンズ面上に折り畳まれていない状態で前記眼内レンズが設置される設置部と、
前記通路の軸に沿って前記通路内を前方に移動することで、前記眼内レンズを前方に押し出す棒状の押出部材と、
前記設置部よりも前方に設けられ、前方に向かう程通路面積が小さくなると共に、前端部に前記挿入口を有し、前記支持部が前記光学部のレンズ面上に折り畳まれた状態で前記眼内レンズを前記挿入口から排出するノズルと、
を備え、
前記冷却装置は、前記設置部に設置された前記眼内レンズおよび前記眼内レンズ挿入器具の本体のうちの少なくとも一部を冷却することを特徴とする眼内レンズ挿入システム。
【請求項７】
請求項６に記載の眼内レンズ挿入システムであって、
前記眼内レンズの前記１つまたは複数の支持部には、前記眼内レンズが前記設置部に設置された状態で、前記光学部から前記眼内レンズ挿入器具の後方に向けて湾曲して延び出す前記支持部である後方支持部が含まれており、
前記眼内レンズ挿入器具の前記押出部材は、前記後方支持部の一部に接触しながら前方に移動することで、前記後方支持部を前記光学部のレンズ面上に折り畳むことを特徴とする眼内レンズ挿入システム。
【請求項８】
請求項７に記載の眼内レンズ挿入システムであって、
前記冷却装置は、
前記眼内レンズ挿入器具が前記冷却装置に設置された状態で、前記眼内レンズ挿入器具の前記設置部に設置された前記眼内レンズの少なくとも一部を冷却するレンズ冷却部を含み、
前記眼内レンズ挿入器具の前後方向において、前記レンズ冷却部の前端部が、前記設置部に設置される前記眼内レンズのうち、前記光学部の中心、または前記光学部の中心から前記後方支持部の後端部までの間に位置することを特徴とする眼内レンズ挿入システム。
【請求項９】
請求項７または８に記載の眼内レンズ挿入システムであって、
前記冷却装置は、
前記眼内レンズ挿入器具の前記押出部材を冷却する押出部材冷却部を含むことを特徴とする眼内レンズ挿入システム。
【請求項１０】
請求項６から９のいずれかに記載の眼内レンズ挿入器具であって、
前記眼内レンズの樹脂材料のガラス転移温度が１８℃以下であることを特徴とする眼内レンズ挿入器具。
【発明の詳細な説明】
【技術分野】
【０００１】
本開示は、眼内レンズを眼内に挿入する眼内レンズ挿入器具に関する。
【背景技術】
【０００２】
従来、白内障の手術方法の一つとして、摘出された水晶体の代わりに折り曲げ可能な軟性の眼内レンズを眼内に挿入する手法が用いられている。また、眼の屈折力を矯正するために、水晶体よりも前側に眼内レンズが挿入される場合もある。眼内レンズの眼内への挿入には、インジェクターと呼ばれる眼内レンズ挿入器具が用いられる場合がある。
【０００３】
眼内レンズには、円盤形状の光学部から外側に向けて延びる一対の支持部（前方支持部および後方支持部）を備えたものがある。前方支持部および後方支持部の各々の先端は、自由端となっている。眼内レンズ挿入器具は、眼内レンズの前方支持部および後方支持部を変形させて光学部上に位置させた状態（所謂「タッキング」が行われた状態）で、眼内レンズを折り畳む場合がある。タッキングを行うことで、例えば、支持部の破損等が生じる可能性が低下する。
【０００４】
例えば、特許文献１に記載の眼内レンズ挿入器具では、プランジャーによって後方支持部が押されることで、後方支持部のタッキングが行われる。また、プランジャーによって眼内レンズ全体が前方に押し出されることで、前方支持部が挿入部の内壁に接触して前方支持部のタッキングが行われると共に、眼内レンズ全体が小さく折り畳まれる。その後、眼内レンズは挿入口から眼内に挿入される。
【先行技術文献】
【特許文献】
【０００５】
【特許文献１】特開２０１６−１９００２３号公報
【発明の概要】
【発明が解決しようとする課題】
【０００６】
タッキングが行われる過程において、支持部に不適切な屈曲が生じる場合がある。この場合、タッキングが良好に行われない可能性が増加する。
【０００７】
本開示の典型的な目的は、より精度良く支持部のタッキングを行うことが可能な眼内レンズ挿入器具および眼内レンズ挿入システムを提供することである。
【課題を解決するための手段】
【０００８】
本開示における典型的な実施形態が提供する眼内レンズ挿入器具は、樹脂材料によって成形された変形可能な眼内レンズを、内部の通路を通じて前端部の挿入口から患者眼の眼内に挿入する眼内レンズ挿入器具であって、前記眼内レンズは、円盤形状の光学部と、前記光学部から外側に向けて湾曲して延びると共に、先端を自由端とする１つまたは複数の支持部と、を備え、前記眼内レンズ挿入器具は、前記支持部が前記光学部のレンズ面上に折り畳まれていない状態で前記眼内レンズが設置される設置部と、前記通路の軸に沿って前記通路内を前方に移動することで、前記眼内レンズを前方に押し出す棒状の押出部材と、前記設置部よりも前方に設けられ、前方に向かう程通路面積が小さくなると共に、前端部に前記挿入口を有し、前記支持部が前記光学部のレンズ面上に折り畳まれた状態で前記眼内レンズを前記挿入口から排出するノズルと、前記設置部に設置された前記眼内レンズおよび器具本体のうちの少なくとも一部を冷却する冷却部と、を備える。
【０００９】
本開示における典型的な実施形態が提供する眼内レンズ挿入システムは、樹脂材料によって成形された変形可能な眼内レンズを患者眼の眼内に挿入するために用いられる眼内レンズ挿入システムであって、前記眼内レンズは、円盤形状の光学部と、前記光学部から外側に向けて湾曲して延びると共に、先端を自由端とする１つまたは複数の支持部と、を備え、前記眼内レンズ挿入システムは、内部の通路を通じて前端部の挿入口から前記眼内レンズを患者眼の眼内に挿入する眼内レンズ挿入器具と、冷却装置と、を備え、前記眼内レンズ挿入器具は、前記支持部が前記光学部のレンズ面上に折り畳まれていない状態で前記眼内レンズが設置される設置部と、前記通路の軸に沿って前記通路内を前方に移動することで、前記眼内レンズを前方に押し出す棒状の押出部材と、前記設置部よりも前方に設けられ、前方に向かう程通路面積が小さくなると共に、前端部に前記挿入口を有し、前記支持部が前記光学部のレンズ面上に折り畳まれた状態で前記眼内レンズを前記挿入口から排出するノズルと、を備え、前記冷却装置は、前記設置部に設置された前記眼内レンズおよび前記眼内レンズ挿入器具の本体のうちの少なくとも一部を冷却する。
【００１０】
本開示における眼内レンズ挿入器具および眼内レンズ挿入システムによると、より精度良く支持部のタッキングが行われる。
【図面の簡単な説明】
【００１１】
【図１】眼内レンズ挿入器具１００を右斜め上方から見た斜視図である。
【図２】プランジャー３００を右斜め上方から見た斜視図である。
【図３】眼内レンズ１の平面図である。
【図４】眼内レンズ１が設置された状態の、眼内レンズ挿入器具１００の設置部１３０の平面図である。
【図５】眼内レンズ１の移動および変形が適切に行われた状態を示す概略説明図である。
【図６】眼内レンズ１の後方支持部３Ｂのタッキングが正常に行われない状態の一例を示す図である。
【図７】眼内レンズ挿入システム４００の概略構成を示す斜視図である。
【発明を実施するための形態】
【００１２】
＜概要＞
本開示で例示する眼内レンズ挿入器具は、樹脂材料によって成形された変形可能な眼内レンズを、内部の通路を通じて前端部の挿入口から患者眼の眼内に挿入する。眼内レンズは、光学部と、１つまたは複数の支持部を備える。光学部の形状は円盤形状である。支持部は、光学部から外側に向けて湾曲して延びると共に、先端を自由端とする。眼内レンズ挿入器具は、設置部、押出部材、ノズル、および冷却部を備える。設置部には、支持部が光学部のレンズ面上に折り畳まれていない状態で眼内レンズが設置される。押出部材は、通路の軸に沿って通路内を前方に移動することで、眼内レンズを前方に押し出す。ノズルは、設置部よりも前方に設けられており、前方に向かう程通路面積が小さくなると共に、前端部に挿入口を有する。ノズルは、支持部が光学部のレンズ面上に折り畳まれた状態で、眼内レンズを挿入口から排出する。冷却部は、内部に設置された眼内レンズおよび器具本体のうちの少なくとも一部を冷却する。
【００１３】
樹脂材料によって成形された眼内レンズは、温度を下げると硬化する。本開示における眼内レンズ挿入器具は、設置部に設置された眼内レンズを冷却部によって冷却した状態で、支持部のタッキングを行うことができる。従って、タッキングを行う際に、眼内レンズの素材が冷却されて硬化しているので、支持部に不適切な屈曲が生じにくい。よって、支持部のタッキングがより精度良く行われる。
【００１４】
眼内レンズの支持部の１つは後方支持部であってもよい。後方支持部は、眼内レンズが設置部に設置された状態で、光学部から眼内レンズ挿入器具の後方に向けて湾曲して延び出す。押出部材は、後方支持部の一部に接触しながら前方に移動することで、後方支持部を光学部のレンズ面上に折り畳んでもよい。この場合、押出部材を前方に押し出す動作によって、後方支持部のタッキングと眼内レンズの眼内への挿入が共に行われる。従って、簡易な動作で適切に眼内レンズが眼内に挿入される。また、一般的には、後方支持部の一部が押されてタッキングが行われる場合、後方支持部に不適切な屈曲が生じやすい。しかし、本開示の眼内レンズ挿入器具は、眼内レンズの素材を冷却して硬化させた状態で、後方支持部のタッキングを行うことができる。よって、後方支持部のタッキングと眼内レンズの眼内への挿入が、簡易な動作で適切に行われる。
【００１５】
ただし、眼内レンズ挿入器具によって後方支持部のタッキングを行うための具体的な方法を変更することも可能である。例えば、眼内レンズ挿入器具は、眼内レンズが押出部材によって前方に押される前に、少なくともいずれかの支持部のタッキングを予め実行する構成を備えていてもよい。このような場合でも、支持部に不適切な屈曲が生じる可能性は、冷却部によって低下する。
【００１６】
冷却部は、レンズ冷却部を含んでいてもよい。レンズ冷却部は、設置部に設置された眼内レンズの少なくとも一部を冷却する。眼内レンズ挿入器具の前後方向において、レンズ冷却部の前端部が、設置部に設置される眼内レンズのうち、光学部の中心、または光学部の中心から後方支持部の後端部までの間に位置していてもよい。この場合、後方支持部が重点的にレンズ冷却部によって冷却される一方で、眼内レンズ全体のうちの前方側の温度は後方支持部に比べて下がりにくい。従って、眼内レンズが小さく折り曲げられる際に、眼内レンズ全体のうちの前方側は、後方支持部に比べて柔らかい状態が保たれる。よって、眼内レンズの全体が略均一に冷却される場合に比べて、眼内レンズが適切に小さく折り曲げられる。
【００１７】
ただし、レンズ冷却部を設置する位置を変更することも可能である。例えば、レンズ冷却部の前端部は、設置部に設置される眼内レンズのうち、光学部の後端部、または光学部の後端部から前記後方支持部の後端部までの間に位置していてもよい。この場合、後方支持部がより重点的にレンズ冷却部によって冷却される。また、レンズ冷却部は、眼内レンズの全体を略均一に冷却してもよい。
【００１８】
冷却部は、押出部材を冷却する押出部材冷却部を含んでいてもよい。押出部材を後方支持部に接触させて後方支持部のタッキングを行う場合には、押出部材を冷却することで、後方支持部における押出部材との接触部位およびその近傍が重点的に冷却される。従って、後方支持部に不適切な屈曲が生じにくい。また、押出部材が眼内レンズの一部（例えば、後方支持部の一部および光学部の一部）に接触すると、眼内レンズにおける押出部材との接触部位が冷却されて硬化する。従って、押出部材が接触部位を押す際に、接触部位およびその近傍にクラック等が生じる可能性が低下する。
【００１９】
眼内レンズの樹脂材料のガラス転移温度が１８℃以下であってもよい。この場合、眼内レンズは軟性となるため、ノズルを通過する際に小さく折り畳まれる。従って、ノズルの先端の通路面積をより小さくすることができるので、患者眼に形成する切開創を小さくすることが容易である。一方で、眼内レンズが柔らかい程、支持部のタッキングを行う際に不適切な屈曲が生じやすい。これに対し、本開示に係る眼内レンズ挿入器具は、設置部に設置された眼内レンズを冷却部によって冷却した状態で、支持部のタッキングを行うことができる。よって、より適切に手術が行われる。
【００２０】
本開示で例示する眼内レンズ挿入システムは、樹脂材料によって成形された変形可能な眼内レンズを患者眼の眼内に挿入するために用いられる。眼内レンズは、光学部と、１つまたは複数の支持部を備える。光学部の形状は円盤形状である。支持部は、光学部から外側に向けて湾曲して延びると共に、先端を自由端とする。本開示における眼内レンズ挿入システムは、内部の通路を通じて前端部の挿入口から眼内レンズを患者眼の眼内に挿入する眼内レンズ挿入器具と、冷却装置とを備える。眼内レンズ挿入器具は、設置部、押出部材、およびノズルを備える。設置部には、支持部が光学部のレンズ面上に折り畳まれていない状態で眼内レンズが設置される。押出部材は、通路の軸に沿って通路内を前方に移動することで、眼内レンズを前方に押し出す。ノズルは、設置部よりも前方に設けられており、前方に向かう程通路面積が小さくなると共に、前端部に挿入口を有する。ノズルは、支持部が光学部のレンズ面上に折り畳まれた状態で、眼内レンズを挿入口から排出する。冷却装置は、設置部に設置された眼内レンズおよび眼内レンズ挿入器具の本体のうちの少なくとも一部を冷却する。
【００２１】
本開示における眼内レンズ挿入システムによると、ユーザは、眼内レンズ挿入器具の設置部に設置された眼内レンズを冷却部によって冷却した状態で、支持部のタッキングを行うことができる。従って、タッキングを行う際に、眼内レンズの素材が冷却されて硬化しているので、支持部に不適切な屈曲が生じにくい。よって、支持部のタッキングがより精度良く行われる。
【００２２】
眼内レンズの支持部の１つは後方支持部であってもよい。押出部材は、後方支持部の一部に接触しながら前方に移動することで、後方支持部を光学部のレンズ面上に折り畳んでもよい。この場合、押出部材を前方に押し出す動作によって、後方支持部のタッキングと眼内レンズの眼内への挿入が共に行われる。ただし、前述したように、眼内レンズ挿入器具によって後方支持部のタッキングを行うための具体的な方法を変更することも可能である。
【００２３】
冷却装置は、レンズ冷却部を含んでいてもよい。レンズ冷却部は、眼内レンズ挿入器具が冷却装置に設置された状態で、眼内レンズ挿入器具の設置部に設置された眼内レンズの少なくとも一部を冷却する。眼内レンズ挿入器具の前後方向において、レンズ冷却部の前端部が、設置部に設置される眼内レンズのうち、光学部の中心、または光学部の中心から後方支持部の後端部までの間に位置していてもよい。この場合、後方支持部が重点的にレンズ冷却部によって冷却される一方で、眼内レンズ全体のうちの前方側の温度は後方支持部に比べて下がりにくい。従って、眼内レンズが小さく折り曲げられる際に、眼内レンズ全体のうちの前方側は、後方支持部に比べて柔らかい状態が保たれる。よって、眼内レンズの全体が略均一に冷却される場合に比べて、眼内レンズが適切に小さく折り曲げられる。ただし、前述したように、設置部に設置された眼内レンズに対するレンズ冷却部の位置を変更することも可能である。
【００２４】
冷却装置は、押出部材を冷却する押出部材冷却部を含んでいてもよい。押出部材を後方支持部に接触させて後方支持部のタッキングを行う場合には、押出部材を冷却することで、後方支持部における押出部材との接触部位およびその近傍が重点的に冷却される。従って、後方支持部に不適切な屈曲が生じにくい。また、押出部材が眼内レンズの一部（例えば、後方支持部の一部および光学部の一部）に接触すると、眼内レンズにおける押出部材との接触部位が冷却されて硬化する。従って、押出部材が接触部位を押す際に、接触部位およびその近傍にクラック等が生じる可能性が低下する。
【００２５】
また、眼内レンズ挿入システムにおいても、眼内レンズの樹脂材料のガラス転移温度は、前述したように１８℃以下であってもよい。
【００２６】
＜第１実施形態＞
以下、本開示における典型的な実施形態の１つである第１実施形態について、図１から図５を参照して説明する。なお、以下の説明では、眼内レンズ挿入器具１００における本体部１０１のノズル１８０側の方向（図１の紙面左下側）を眼内レンズ挿入器具１００の前方、プランジャー３００の押圧部３７０の方向（図１の紙面右上側）を眼内レンズ挿入器具１００の後方とする。また、図１の紙面上側を眼内レンズ挿入器具１００の上方、図１の紙面下側を眼内レンズ挿入器具１００の下方、図１の紙面右下側を眼内レンズ挿入器具１００の右方、図１の紙面左上側を眼内レンズ挿入器具１００の左方とする。
【００２７】
図１を参照して、本実施形態の眼内レンズ挿入器具１００の全体構成について説明する。眼内レンズ挿入器具１００は、変形可能な眼内レンズ１（詳細は後述する）を眼内に挿入するために使用される。眼内レンズ挿入器具１００は、本体部１０１とプランジャー３００を備える。本体部１０１は略筒状であり、本体部１０１の内部の通路を通じて眼内レンズ１が眼内に挿入される。プランジャー３００は棒状であり、本体部１０１の内部の通路を前後方向に移動することができる。プランジャー３００は、押出軸（通路の軸）Ａに沿って前方に移動することで、本体部１０１の内部に充填された眼内レンズ１を押し出す。
【００２８】
本実施形態の本体部１０１およびプランジャー３００は、樹脂材料で形成されている。眼内レンズ挿入器具１００は、モールド成型、樹脂の削り出しによる切削加工等によって形成されてもよい。眼内レンズ挿入器具１００が樹脂材料で形成されることで、使用者は、使用済みの眼内レンズ挿入器具１００を容易に廃棄することができる。
【００２９】
本実施形態では、粘着性を有する軟性の眼内レンズ１を円滑に眼内に挿入するために、本体部１０１の内壁に潤滑コーティング処理が行われている。また、本実施形態の眼内レンズ挿入器具１００は、無色透明または無色半透明で形成されている。従って、使用者は、眼内レンズ挿入器具１００の内部に充填されている眼内レンズ１の変形状態等を、眼内レンズ挿入器具１００の外側から容易に視認することができる。
【００３０】
図１を参照して、本体部１０１について説明する。本体部１０１は、本体筒部１１０と、設置部１３０と、ノズル（挿入部）１８０を備える。
【００３１】
本体筒部１１０は、前後方向に延びる筒状に形成されており、本体部１０１の後端側（基端側）に位置する。本体筒部１１０の後端よりもやや前方の外周には、使用者によって把持される張り出し部１１１が形成されている。
【００３２】
設置部１３０は、本体筒部１１０の前端側に接続されている。設置部１３０には眼内レンズ１が設置（充填）される。詳細には、設置部１３０は保持部１６０とセット部１７０を備える。保持部１６０は、眼内レンズ挿入器具１００が保管状態とされている場合に眼内レンズ１を保持する。セット部１７０は、先端部の軸を中心として回動可能に設けられている。セット部１７０が回動されると、保持部１６０に保持されている眼内レンズ１が、プランジャー３００によって押し出されることが可能な待機位置に移動して位置決めされる。なお、本実施形態では、冷却部の１つであるレンズ冷却部２０１が設置部１３０に設けられている。冷却部は、眼内レンズ１および眼内レンズ挿入器具１００の本体のうちの少なくとも一部を冷却する。レンズ冷却部２０１の詳細については後述する。
【００３３】
ノズル１８０は、設置部１３０の前端側に接続されている。ノズル１８０内の通路面積は、眼内レンズ１を前方に押し進める過程で眼内レンズ１を小さく変形させるために、前方に向かう程小さくなる。つまり、ノズル１８０には、先細りの内部空間が形成されている。ノズル１８０の前端には、先端が斜めに切断された円筒状の挿入部１８２が設けられている。挿入部１８２は眼内に差し込まれる。挿入部１８２の前端には、眼内レンズ１を内部の通路から前方に排出するための開口である挿入口１８３が形成されている。本体部１０１の内部の通路は、本体筒部１１０の後端からノズル１８０の前端の挿入口１８３まで貫通している。
【００３４】
図２を参照して、プランジャー３００の概略構成について説明する。本実施形態のプランジャー３００は、押出部材３１０と、軸基部３５０と、押圧部３７０を備える。
【００３５】
押圧部３７０は、プランジャー３００の後端に形成されている。押圧部３７０は、押出軸Ａ（図１参照）と直交する方向に延びる板状の部材である。押圧部３７０には、使用者がプランジャー３００を前方へ押し出す際に、使用者の指が接触する。
【００３６】
軸基部３５０は、押圧部３７０の前端側から前方に延びる棒状の部材である。本実施形態では、軸基部３５０は、押出軸Ａに直交する断面の形状が略Ｈ状となるように形成されている。押出軸Ａに直交する断面の形状が略矩形である本体筒部１１０に、軸基部３５０が挿入されることで、本体部１０１に対するプランジャー３００の押出軸Ａの周方向の回転が抑制される。プランジャー３００が前方へ移動し、眼内レンズ１の眼内への挿入が完了する位置に到達すると、軸基部３５０の前端下部の傾斜面が、本体部１０１の所定箇所に形成された傾斜面に接触する。その結果、プランジャー３００の前端が挿入口１８３（図１参照）から過度に突き出ることが防止される。
【００３７】
押出部材３１０は、棒状の部材であり、押出軸Ａの軸方向に沿って軸基部３５０の前端から前方に延びる。押出部材３１０は、押出軸Ａに直交する断面の形状が略円形となるように形成されている。また、押出部材３１０の太さは、本体部１０１の挿入口１８３を通過できる太さとなっている。押出部材３１０は、本体部１０１の通路内を押出軸Ａに沿って前方に移動することで、眼内レンズ１のタッキングを行うと共に、眼内レンズ１を挿入口１８３から眼内に排出する。
【００３８】
図３を参照して、眼内レンズ挿入器具１００によって眼内に挿入される眼内レンズ１の一例について説明する。眼内レンズ１は、光学部２と支持部３を備える。本実施形態の眼内レンズ１は、光学部２と支持部３が一体成型された、所謂ワンピース型の眼内レンズである。ただし、本開示で例示する技術の少なくとも一部は、光学部２と支持部３が別部材で形成された、所謂３ピース型の眼内レンズにも適用できる。眼内レンズ１の材料には、例えば、ＢＡ（ブチルアクリレート）、ＨＥＭＡ（ヒドロキシエチルメタクリレート）等の単体、アクリル酸エステルとメタクリル酸エステルの複合材料等の種々の軟性の樹脂材料を採用できる。
【００３９】
眼内レンズ１の樹脂材料のガラス転移温度は、１８℃以下である。従って、眼内レンズ１の材料は非常に柔らかい。眼内レンズ１の材料が柔らかい程、眼内レンズ挿入器具１００は、ノズル１８０（特に、ノズル１８０の挿入部１８２）を通過させる際に眼内レンズ１を小さく折り畳むことができる。従って、眼内レンズ１の材料を柔らかくする程、挿入部１８２を小さくすることができる。挿入部１８２を小さくすると、患者眼に形成する切開創を小さくすることが容易となる。一例として、本実施形態における眼内レンズ１のガラス転移温度は３．６℃である。
【００４０】
光学部２は、患者眼に所定の屈折力を与える。光学部２の形状は円盤形状である。光学部２の光軸Ｏは、光学部２の中心を通り、且つ上下方向に延びる。支持部３は、光学部２を眼内で支持する。一例として、本実施形態の眼内レンズ１には、一対の支持部（前方支持部３Ａ、および後方支持部３Ｂ）が設けられている。前方支持部３Ａは、眼内レンズ１が眼内レンズ挿入器具１００の設置部１３０に設置された状態で、光学部２の外周部から眼内レンズ挿入器具１００の前方に向けて湾曲して延び出す（図４参照）。つまり、前方支持部３Ａは、周方向に湾曲したループ形状であり、前方支持部３Ａの先端部は自由端とされている。後方支持部３Ｂは、眼内レンズ１が眼内レンズ挿入器具１００の設置部１３０に設置された状態で、光学部２の外周部から眼内レンズ挿入器具１００の後方に向けて湾曲して延び出す（図４参照）。つまり、後方支持部３Ｂは、周方向に湾曲したループ形状であり、後方支持部３Ｂの先端部も自由端とされている。
【００４１】
図１および図４を参照して、第１実施形態におけるレンズ冷却部２０１について説明する。なお、図４では、眼内レンズ１およびレンズ冷却部２０１は、本来は設置部１３０の上壁に覆われている。しかし、それぞれの位置関係の理解を容易にするために、眼内レンズ１およびレンズ冷却部２０１も図４において模式的に明示している。
【００４２】
レンズ冷却部２０１は、眼内レンズ１が設置部１３０に設置された状態、且つ、眼内レンズ１のタッキングが行われていない状態で、眼内レンズ１の少なくとも一部を冷却する。図１に示すように、第１実施形態のレンズ冷却部２０１は、設置部１３０の下部を構成するセット部１７０の一部に設けられている。ただし、レンズ冷却部２０１の位置を変更することも可能である。例えば、レンズ冷却部２０１は、設置部１３０の下部に代えて、または設置部１３０の下部と共に、設置部１３０の上部、左部、右部の少なくともいずれかに設けられていてもよい。
【００４３】
第１実施形態のレンズ冷却部２０１は、冷却を開始するよりも前において、溶解時に吸熱反応を示す物質（以下、「吸熱物質」という）と、吸熱物質を溶解させる液体（以下、「溶解液」という）を、各々を分離させた状態で保持している。吸熱物質には、例えば、硝酸アンモニウム、尿素、塩化アンモニウム、硝酸バリウム、水酸化バリウム８水和物と硝酸アンモニウムの混合物等の少なくともいずれかが用いられてもよい。溶解液には、例えば水等が用いられてもよい。
【００４４】
第１実施形態のレンズ冷却部２０１では、吸熱物質と溶解液が混合されることで冷却が開始される。一例として、第１実施形態では、眼内レンズ１を保持位置から待機位置に移動させるためにセット部１７０が回動されると、回動動作によって、吸熱物質と溶解液を分離している分離材（例えば袋等）が破壊される。従って、ユーザが眼内レンズ１を待機位置に移動させると、レンズ冷却部２０１による冷却が自動的に開始される。ただし、冷却を開始させる方法を変更することも可能である。例えば、分離材を破壊させる衝撃をユーザがレンズ冷却部２０１に加えることで、冷却が開始されてもよい。ユーザが針等によって分離材を破壊してもよい。また、レンズ冷却部２０１は、吸熱物質による吸熱反応の代わりに、他の原理を用いて冷却を行ってもよい。例えば、ペルチェ素子等をレンズ冷却部２０１に用いてもよいし、冷媒ガス（例えばヘリウム等）を用いて冷却を行う原理が用いられてもよい。
【００４５】
図４を参照して、設置部１３０に設置された眼内レンズ１に対するレンズ冷却部２０１の位置関係について、詳細に説明する。第１実施形態では、眼内レンズ挿入器具１００の前後方向において、レンズ冷却部２０１の前端部Ｄ３は、設置部１３０に設置される眼内レンズ１のうち、光学部２の光軸Ｏが通る中心の位置Ｄ１、または、位置Ｄ１から後方支持部３Ｂの後端部の位置Ｄ２までの間に位置している。従って、後方支持部３Ｂが重点的にレンズ冷却部２０１によって冷却される一方で、眼内レンズ１の全体のうち前方側の温度は後方支持部３Ｂに比べて下がり難い。従って、眼内レンズ１が小さく折り曲げられる際に、眼内レンズ１の全体のうちの前方側は、後方支持部３Ｂに比べて柔らかい状態が保たれる。よって、眼内レンズ１の全体が略均一に冷却される場合に比べて、眼内レンズ１が適切に小さく折り曲げられる。
【００４６】
なお、レンズ冷却部２０１の前端部Ｄ３は、光学部２の後端部の位置、または、光学部２の後端部の位置から後方支持部３Ｂの後端部の位置Ｄ２までの間に位置していることがより望ましい。この場合、後方支持部３Ｂがより重点的に冷却される。なお、第１実施形態では、図４に示すように、レンズ冷却部２０１の前端部Ｄ３は、光学部２の後端部近傍に位置している。つまり、本実施形態のレンズ冷却部２０１を換言するなら、眼内レンズ１の一部（例えば後方支持部３Ｂ）を局所的に冷却する局所冷却手段と言える。
【００４７】
図２を参照して、第１実施形態における押出部材冷却部２０２について説明する。押出部材冷却部２０２は、プランジャー３００の押出部材３１０を冷却する。一例として、第１実施形態の押出部材冷却部２０２は、プランジャー３００のうち、押出部材３１０の基端（つまり、軸基部３５０のうち、押出部材３１０が接続される先端部）に設けられている。押出部材冷却部２０２による冷却が行われると、押出部材３１０は基端から先端にかけて徐々に冷却される。なお、押出部材３１０の材質を、眼内レンズ挿入器具１００における他の部材の材質よりも熱伝導率が高い材質（例えば金属等）としてもよい。この場合、押出部材３１０の先端部がより効率よく冷却される。なお、押出部材冷却部２０２の配置は本開示に限るものではない。例えば、軸基部３５０の基端等に押出部材冷却部２０２が設けられていてもよい。
【００４８】
また、第１実施形態の押出部材冷却部２０２では、レンズ冷却部２０１と同様に、吸熱物質と溶解液が混合されることで冷却が開始される原理が用いられている。詳細には、第１実施形態では、ユーザがプランジャー３００を所定位置まで押し進めると、押出部材冷却部２０２において吸熱物質と溶解液を分離している分離材が破壊される。従って、ユーザは、プランジャー３００を押し進めるだけで、押出部材３１０を容易に冷却することができる。ただし、ユーザが押出部材冷却部２０２に衝撃等を加えることで、冷却が開始されてもよい。また、ペルチェ素子等が押出部材冷却部２０２に用いられてもよい。また、押出部材冷却部の位置等を変更することも可能である。例えば、押出部材３１０の先端が眼内レンズ１の後方支持部３Ｂの後端部よりも後方の待機位置に位置している状態で、押出部材冷却部が押出部材３１０の少なくとも先端部を冷却してもよい。この場合、押出部材冷却部２０２は、眼内レンズ挿入器具１００の本体部１０１のうち、待機位置に位置している押出部材３１０の先端部と同じ前後方向の位置に設けられていてもよい。また、押出部材３１０、軸基部３５０、および押圧部３７０を含むプランジャー３００の全体が、冷却部によって冷却されてもよい。
【００４９】
なお、本実施形態では、後方支持部３Ｂのタッキングが行われる際の後方支持部３Ｂの温度が、レンズ冷却部２０１および押出部材冷却部２０２によって室温よりも低くなるように、レンズ冷却部２０１および押出部材冷却部２０２の材料、大きさ、位置等が設計されている。眼内レンズ１を眼内に挿入する手術では、一般的に、室温は１８℃〜２８℃に設定される。従って、本実施形態では、タッキングが行われる際に後方支持部３Ｂの温度が１８℃未満とされる。
【００５０】
図５および図６を参照して、本実施形態で例示した技術を採用することによる作用効果について説明する。まず、作業者は、セット部１７０（図１参照）を回転させることで、設置部１３０の保持部１６０（図１参照）に保持されている眼内レンズ１を、プランジャー３００によって押し出されることが可能な待機位置に移動させる。この時点で、レンズ冷却部２０１による眼内レンズ１（特に、眼内レンズ１の後方支持部３Ｂ）の冷却が開始される。
【００５１】
ここで、図５（ａ）に示すように、保持部１６０に保持された眼内レンズ１における後方支持部３Ｂの基端部は、押出軸Ａに対して左右のいずれかの方向にずれている。一例として、本実施形態では、後方支持部３Ｂの基端部は、押出軸Ａに対して右側（図５における下側）に位置する。なお、眼内レンズ１の支持部３Ａ，３Ｂの各々が延びる左右の方向は、本実施形態と逆の方向であってもよい。なお、本実施形態の眼内レンズ挿入器具１００は、眼内レンズ１が予め内部に充填された、所謂プリセット型の器具である。しかし、本開示で例示する技術は、患者眼に眼内レンズ１を挿入する直前に眼内レンズ１が内部に充填される眼内レンズ挿入器具等にも適用できる。
【００５２】
次いで、作業者は、注入器等を用いて充填物（例えば、粘弾性物質、水等）を設置部１３０内に注入し、プランジャー３００の前方への移動を開始させる。その結果、図５（ａ）に示すように、プランジャー３００の押出部材３１０が、眼内レンズ１の後方支持部３Ｂの一部に接触する。前述したように、押出部材３１０は、押出部材冷却部２０２によって冷却された状態となっている。従って、後方支持部３Ｂのうち、押出部材３１０の先端部と接触する部位およびその近傍は、押出部材３１０によってさらに冷却されて硬化する。よって、例えば、接触部位およびその近傍にクラック等が生じる可能性が低下する。
【００５３】
プランジャー３００がさらに前方に押し進められると、図５（ｂ）に示すように、後方支持部３Ｂは、押出部材３１０によって光学部２に近づく方向（つまり前方）に移動していく。その後、後方支持部３Ｂは、光学部２のレンズ面上（上方）へ変形移動して折り畳まれ、後方支持部３Ｂの先端が前方を向く。その結果、後方支持部３Ｂのタッキングが行われる。
【００５４】
ここで、図６に示すように、押出部材３１０によって後方支持部３Ｂが前方に変形移動される過程で、後方支持部３Ｂに不適切な屈曲が生じる場合がある。この場合、本来ならば光学部２のレンズ面上に移動すべき後方支持部３Ｂの先端部近傍が、光学部２の側面に引っかかる可能性がある。図６に示す状態で押出部材３１０がさらに押し進められると、後方支持部３Ｂの少なくとも一部が光学部２の下方（裏側）に入り込んでしまい、タッキングが正常に行われない。このようなタッキングの異常は、特に、棒状の押出部材３１０を後方支持部３Ｂの１点に接触させて押し出す場合に生じやすい。また、このようなタッキングの異常は、後方支持部３Ｂが柔らかい程生じやすい。
【００５５】
これに対し、本実施形態では、レンズ冷却部２０１および押出部材冷却部２０２によって後方支持部３Ｂが冷却されて硬化している。従って、レンズ冷却部２０１および押出部材冷却部２０２が設けられていない場合に比べて、後方支持部３Ｂに不適切な屈曲が生じにくい。よって、後方支持部３Ｂのタッキングが適切に行われやすい。つまり、本実施形態によると、レンズ冷却部２０１および押出部材冷却部２０２によって後方支持部３Ｂが冷却されて硬化されることで、後方支持部３Ｂのタッキングの精度向上と、押出部材３１０との接触部位におけるクラック等の発生防止の効果が共に得られる。
【００５６】
プランジャー３００がさらに前方に押し進められると、押出部材３１０が光学部２に接触し、眼内レンズ１の全体が前方へ移動する。ここで、押出部材３１０は、押出部材冷却部２０２によって冷却された状態となっている。従って、光学部２のうち、押出部材３１０の先端部と接触する部位およびその近傍は、押出部材３１０によって冷却されて硬化する。よって、光学部２にクラック等が生じる可能性も低下する。
【００５７】
図５（Ｃ）に示すように、眼内レンズ１がノズル１８０に到達すると、先細りとなっているノズル１８０の内壁に前方支持部３Ａが接触する。詳細には、前方支持部３Ａの基端部が、ノズル１８０の左側の内壁に接触して応力を受けることで、前方支持部３Ａが光学部２に近づく方向（つまり後方）に変形する。さらに、前方支持部３Ａの先端部近傍は、ノズル１８０の右側の内壁に接触して応力を受けることで、後方に変形する。その結果、図５（ｄ）に示すように、前方支持部３Ａが光学部２のレンズ面上へ変形移動して折り畳まれ、前方支持部３Ａの先端が後方を向く。つまり、前方支持部３Ａのタッキングが行われる。
【００５８】
プランジャー３００がさらに前方に押し進められると、眼内レンズ１の光学部２も、先細りとなっているノズル１８０の内壁に接触する。その結果、図５（ｄ）（ｅ）に示すように、眼内レンズ２００は、前方支持部２０３および後方支持部２０７のタッキングが行われた状態で小さく折り畳まれていく。その後、眼内レンズ２００は、挿入口１８３から眼内に挿入される。ここで、レンズ冷却部２０１および押出部材冷却部２０２は、眼内レンズ１における後部（例えば、後方支持部３Ｂ）を重点的に冷却している。従って、眼内レンズ１の前方側は、後方支持部３Ｂに比べて柔らかい状態が保たれる。よって、眼内レンズ１は適切に小さく折り畳まれる。
【００５９】
（第２実施形態）
図７を参照して、本開示の第２実施形態に係る眼内レンズ挿入システム４００について説明する。なお、以下説明する第２実施形態では、患者眼の眼内に挿入される眼内レンズには、第１実施形態で説明した眼内レンズ１と同様の眼内レンズを用いることができる。従って、眼内レンズの詳細な説明は省略する。また、第２実施形態の眼内レンズ挿入システム４００に含まれる眼内レンズ挿入器具１００の構成は、レンズ冷却部２０１および押出部材冷却部２０２が設けられない点以外は、第１実施形態で説明した眼内レンズ挿入器具１００と同様の構成を採用できる。従って、眼内レンズ挿入器具１００の詳細な説明も省略する。
【００６０】
図７に示すように、第２実施形態における眼内レンズ挿入システム４００は、眼内レンズ挿入器具１００と冷却装置４０１を備える。冷却装置４０１は、眼内レンズ挿入器具１００の設置部１３０に設置された眼内レンズ１および眼内レンズ挿入器具１００のうちの少なくとも一部を冷却する。冷却装置４０１の前面にはスイッチ４０２が設けられている。ユーザは、スイッチ４０２を操作することで、冷却の実行と停止を切り替えることができる。
【００６１】
冷却装置４０１には、本体部装着部４１０が設けられている。本体部装着部４１０には、眼内レンズ挿入器具１００における本体部１０１が装着される。本実施形態の本体部装着部４１０は冷却装置４０１の上部に設けられており、本体部１０１は、本体部装着部４１０上に上方から載置されることで装着される。詳細には、本体部装着部４１０は、冷却装置４０１の上面を下方に窪ませることで形成されている。本体部装着部４１０の外形は、本体部１０１の外形に略一致している。従って、本体部１０１は、本体部装着部４１０における所定の位置に装着される。
【００６２】
本体部装着部４１０には、レンズ冷却部４１１が設けられている。レンズ冷却部４１１は、眼内レンズ挿入器具１００の本体部１０１が本体部装着部４１０に設置された状態で、本体部１０１の設置部１３０に設置された眼内レンズ１の少なくとも一部を冷却する。第２実施形態のレンズ冷却部４１１は、本体部装着部４１０における底の面のうちの一部に設けられている。詳細には、第２実施形態では、設置部１３０に設置された眼内レンズ１とレンズ冷却部４１１の位置関係は、前述した第１実施形態における眼内レンズとレンズ冷却部２０１の位置関係（図４参照）が採用されている。つまり、第２実施形態でも第１実施形態と同様に、眼内レンズ挿入器具１００の前後方向において、レンズ冷却部４１１の前端部は、眼内レンズ１の光学部２の光軸Ｏが通る中心、または、光学部２の中心から後方支持部３Ｂの後端部までの間に位置している。従って、後方支持部３Ｂが重点的に冷却される。なお、第１実施形態のレンズ冷却部２０１と同様に、レンズ冷却部４１１の位置等を変更することも可能である。
【００６３】
冷却装置４０１には、プランジャー装着部４２０が設けられている。プランジャー装着部４２０には、眼内レンズ挿入器具１００のプランジャー３００が装着される。本実施形態のプランジャー装着部４２０は冷却装置４０１の上部に設けられており、プランジャー３００は、プランジャー装着部４２０に上方から載置されることで装着される。詳細には、プランジャー装着部４２０は、冷却装置４０１の上面を下方に窪ませることで形成されている。プランジャー装着部４２０の外形は、プランジャー３００の外形に略一致している。従って、プランジャー３００は、プランジャー装着部４２０における所定の位置に装着される。
【００６４】
プランジャー装着部４２０には、押出部材冷却部４２２が設けられている。押出部材冷却部４２２は、プランジャー装着部４２０に装着されたプランジャー３００の押出部材３１０を冷却する。一例として、第２実施形態の押出部材冷却部４２２は、押出部材３１０の全体を冷却する。しかし、押出部材冷却部４２２は、押出部材３１０の一部（例えば、押出部材３１０の先端部）を冷却してもよい。
【００６５】
第２実施形態の眼内レンズ挿入システム４００によると、ユーザは、冷却装置４０１による眼内レンズ１および押出部材３１０の冷却が行われた状態で手術を行うことで、前述した第１実施形態と同様に適切な手術を行うことができる（図５参照）。
【００６６】
上記実施形態で開示された技術は一例に過ぎない。従って、上記実施形態で例示された技術を変更することも可能である。例えば、第１実施形態の眼内レンズ挿入器具１００は、レンズ冷却部２０１と押出部材冷却部２０２を備える。しかし、レンズ冷却部２０１および押出部材冷却部２０２の一方のみが設けられていてもよい。また、眼内レンズ挿入器具１００は、眼内レンズ１の全体を冷却する冷却部を備えていてもよい。また、第２実施形態の冷却装置４０１も同様に、レンズ冷却部４１１および押出部材冷却部４２２の一方のみを備えていてもよいし、眼内レンズ１の全体を冷却する冷却部を備えていてもよい。
【符号の説明】
【００６７】
１    眼内レンズ
１００    眼内レンズ挿入器具
１８０    ノズル
１８２    挿入部
１８３    挿入口
２０１    レンズ冷却部
２０２    押出部材冷却部
３００    プランジャー
３１０    押出部材
４００    眼内レンズ挿入システム
４０１    冷却装置
４１０    本体部装着部
４１１    レンズ冷却部
４２０    プランジャー装着部
４２２    押出部材冷却部
【図１】
2019118689.tif 000003
【図２】
2019118689.tif 000004
【図３】
2019118689.tif 000005
【図４】
2019118689.tif 000006
【図５】
2019118689.tif 000007
【図６】
2019118689.tif 000008
【図７】
2019118689.tif 000009